(57)【特許請求の範囲】
【請求項１】
第１の映像と第２の映像の映像信号を入力する入力手段と、
該第１の映像と該第２の映像との映像信号を混合して出力する混合手段と、
該映像信号の混合割合を変化させる操作子と、
該第１の映像と該第２の映像を混合したトータル映像をフェードするか、該第１の映像のみをフェードするかのフェード態様を指定する指定手段と、
該指定手段により指定されたフェード態様で映像をフェードするフェード手段とを備えた映像編集装置。
【請求項２】
前記フェード手段によるフェードがフェードインであるか、またはフェードアウトであるかを指定する第２の指定手段を備えた請求項１記載の映像編集装置。
【請求項３】
前記フェード手段によるフェードの実行開始を指示する開始指示手段を備え、該開始指示手段の操作に応じて、指定された態様のフェードを開始するようにした請求項１または２記載の映像編集装置。
【請求項４】
該第２の映像としてタイトル画が用いられる請求項１〜３のいずれかに記載の映像編集装置。
【請求項５】
該第１の映像および該トータル映像をフェードする時間をそれぞれ任意に設定する設定手段を備えた請求項１〜４のいずれかに記載の映像編集装置。
【発明の詳細な説明】
【０００１】
【発明の属する技術分野】
本発明は、ＡＶ（オーディオ・ビデオ）ミキサー等に用いられる映像編集装置に関する。
【０００２】
【従来の技術】
映像の編集を行うにあたって、例えば映像を終了する際にその映像に「終」の文字を入れるなど、映像にタイトル（文字など）を重ねて終了させる手法が一般的に用いられており、この手法の主なものとして、ソースフェードとトータルフェードの２つが知られている。ソースフェードは、図６（Ａ）に示すように、映像（この例では富士山の風景）とタイトル（この例では「終」）が重ね合わせた状態から映像のみがフェードアウトしてタイトルだけが残る終了の仕方、トータルフェードは、図６（Ｂ）に示すように、映像とタイトルが重ね合わせれた状態から映像とタイトルが共にフェードアウトする終了の仕方である。
【０００３】
このソースフェードとトータルフェードを実現するためには、従来はミキサーとタイトラーの２つの機器が必要となる。ミキサーは２つの映像をミックスする機器であり、タイトラーは映像にタイトルを挿入する機器である。これらの機器を用いて上述のソースフェードを実現するためには、図２３（Ａ）に示すように、ミキサーを前段に、タイトラーを後段に接続して、映像終了時には、前段のミキサーで背景映像をカラー画面（例えば白または黒など）にしつつ、後段のタイトラーでそのカラー画面にタイトルを重畳するといった操作をする必要がある。一方、トータルフェードを実現するためには、図２３（Ｂ）に示すように、タイトラーを前段に、ミキサーを後段に接続して、映像終了時には、前段のタイトラーで映像にタイトルを挿入しつつ、後段のミキサーでそのタイトル付き映像の画面全体をカラー画面にフェードアウトさせる操作が必要である。
【０００４】
このようなソースフェードとトータルフェードを１つの操作パネル上で操作しようとした場合、例えば図２４に示すような操作パネルを用いる必要がある。図２４において、インプット・セレクタは入力映像Ａ、Ｂ、Ｃを設定するための選択スイッチボタンであり、「映像」「白バック画面」「タイトル」のうちの何れかを入力映像として選択することができる。フェーダ１は入力映像ＡとＢの切換えを手動操作で行うための操作子であり、Ａ側に操作ノブを移動させれば入力映像Ａに、Ｂ側に操作ノブを移動させれば入力映像Ｂに画面が次第に変化するものであり、その中間点では操作ノブの位置に応じたミックス比で両映像Ａ、Ｂをミックスした画面が映し出される。また、フェーダ２はＡＢ側に移動させれば、フェーダ１による入力画面Ａ、Ｂのミックス映像が、Ｃ側に移動させれば入力映像Ｃが次第に映し出され、その中間点では操作ノブの位置に応じたミックス比で両映像ＡＢ、Ｃをミックスした画面が映し出される。
【０００５】
この操作パネルを用いてソースフェードを行うには、入力映像Ａを「映像」に、入力映像Ｂを「白バック画面」に、入力映像Ｃを「タイトル」にそれぞれ設定して、フェーダ１をＡ側からＢ側に移動させつつこれと同時にフェーダ２をＡＢ側からＣ側に移動させるように操作する。また、トータルフェードを行うには、上記同様に各入力映像Ａ、Ｂ、Ｃを設定したうえで、フェーダ１をＡ側からＢ側に移動させつつこれと同時にフェーダ２をＣ側からＡＢ側に移動させるように操作する。
【０００６】
以上は映像を終了する際のことであるが、映像を開始する場合にも同様なことが言える。すなわち、映像を開始する場合にも、ソースフェードとトータルフェードの２つの仕方がある。この場合、ソースフェードは、映像開始時にまずカラーバック画面を背景にタイトル（例えば「山」の文字）だけが映し出され、その背景に漸次に映像（例えば富士山の風景）をフェードインで重ね合わせる開始方法であり、トータルフェードは、映像とタイトルを重ね合わせた映像を共にフェードインする開始方法である。
【０００７】
【発明が解決しようとする課題】
このように、従来、単体の機器としてのミキサーとタイトラーを用いてソースフェードをトータルフェードを実現しようとした場合には、機器のつなぎ替えが必要となり、ソースフェードとトータルフェードを瞬時に切り換えて使用することはできなかった。また、ソースフェードまたはトータルフェードの操作を操作パネルで行おうとした場合には、フェーダの数や入力映像選択用のスイッチボタンなどの多くの操作子が必要となり、しかも２つのフェーダを同時に操作しなければならないなど、操作が複雑となり熟練を要していた。
【０００８】
本発明はかかる問題点に鑑みてなされたものであり、映像編集にあたって、ソースフェードとトータルフェード等の態様でフェードを、機器のつなぎ替えを要することなく、少ない操作子で簡単に行えるようにすることを目的とする。
【０００９】
【課題を解決するための手段】
【００１０】
上述の課題を解決するために、本発明に係る映像編集装置は、基本的な形態として、第１の映像と第２の映像の映像信号を入力する入力手段と、該第１の映像と該第２の映像との映像信号を混合して出力する混合手段と、該映像信号の混合割合を変化させる操作子と、該第１の映像と該第２の映像を混合したトータル映像をフェードするか、該第１の映像のみをフェードするかのフェード態様を指定する指定手段と、該指定手段により指定されたフェード態様で映像をフェードするフェード手段とを備えて成る。
この構成によれば、指定手段によりフェードの態様を指定すれば、フェード手段はそのフェード態様でフェードを行うので、機器のつなぎ替え等を要することなく、簡単な操作で、映像の開始時や終了時などに映像のフェードを実行することができる。
【００１１】
上述の映像編集装置は、前記フェード手段によるフェードがフェードインであるか、またはフェードアウトであるかを指定する第２の指定手段を備えるように構成できる。
この第２の指定手段によって、フェードアウトを指定した場合には、指定手段で指定したフェード態様に応じて、例えば、映像の終了時等において、第１の映像をフェードアウトして第２の映像を残すソースフェード、あるいは第１の映像と第２の映像を共に消すトータルフェードなどを実行できる。またフェードインを指定した場合には、指定手段で指定したフェード態様に応じて、例えば、映像の開始時等において、第２の映像のみを表示した状態から第１の映像をフェードインするソースフェード、あるいは第１の映像と第２の映像を共にフェードインするトータルフェードなどを実行できる。
【００１２】
また、上述の映像編集装置は、前記フェード手段によるフェードの実行開始を指示する開始指示手段を備え、該開始指示手段の操作に応じて、指定された態様のフェードを開始するように構成できる。
この構成によれば、指定手段により映像のフェード態様を指定した後に、開始指示手段によりフェードの開始を指示すれば、その選択されたフェード態様で映像のフェードが開始されるので、機器のつなぎ替え等を要することなく、簡単な操作で、映像の開始時や終了時などに映像のフェードを実行できる。
【００１３】
また、上記の第２の映像は、文字や図形、静止画等からなるタイトル画とすることができる。これにより、映像開始時や終了時のタイトルの挿入が容易に行えるようになる。
【００１４】
また、上述の映像編集装置は、該第１の映像および該トータル映像をフェードする時間をそれぞれ任意に設定する設定手段を備えるように構成できる。
【００１５】
なお、上記の混合手段は、その映像出力信号に背景色画面の映像信号を混合する手段を含んで構成することができる。
この構成によれば、ソースフェードやトータルフェードに所望の背景色を挿入することができるが、これだけでなく、例えばメイン映像からカラー映像に切り換える際に、その切り換わり目に背景色画面を挿入することで、映像の時間の経過等を表現することができる。
【００１６】
図１は上述の本発明に係る映像編集装置を実現する例を示した図である。この図１はフェードの態様を簡単な操作で切り換えることができる映像編集装置のパネル面を示すもので、この映像編集装置は、第１の映像（ソース映像）と第２の映像（サブ映像）を入力し、これらを混合したトータル映像をフェードイン／アウトする手段と、ソース映像のみをフェードイン／アウトする手段と、第２の映像のみをフェードイン／アウトする手段とを備え、操作に応じたフェードを行えるようになっている。
【００１７】
図１において、１１０は第１の映像（ソース映像）と第２の映像（サブ映像）との混合割合を手動で調整する操作子であるフェーダである。スイッチ１１１は、設定された速度（所要時間）でフェーダの移動を自動的に開始するスイッチである。１２０は第２の映像（サブ映像）を選択するためのスイッチボタン群であり、スイッチ１２１はソース映像とは別に入力される映像入力を、またスイッチ１２２はタイトル画をそれぞれ選択するためのものである。１３０はフェードに関するスイッチ群であり、スイッチ１３１は、背景色画面として白または黒の画面を選択するためのもの、スイッチ１３２はソースフェードを選択するためのもの、スイッチ１３３はトータルフェードを選択するためのもの、スイッチ１３４はフェードの実行を指示するためのものである。
【００１８】
上記パネル図において、第２の映像としてタイトルを選択し、フェードをサブ映像側に移動することで、ソース映像中にタイトルが映し出される。次に、ソースフェードスイッチ１３２を押すことにより、ソースフェードを選択し、実行スイッチ１３４を押すと、ソース映像のみをフェードアウトする。この状態で再度、実行スイッチ１３４を押すと、ソース映像はフェードインし、タイトルとソース映像の両方を表示する。
【００１９】
また、混合表示されている状態でトータルスイッチ１３２を押すと、トータルフェードが選択され、次に実行スイッチ１３４を押すと、ソース映像とタイトル画を混合した映像がフェードアウトするように構成している。
このことにより、ソース映像にタイトルをフェードイン／アウトしたり、混合した映像をフェードイン／アウトしたり、ソース映像のみをフェードイン／アウトすることが簡単にできる。
【００２０】
【発明の実施の形態】
以下、図面を参照して本発明の実施の形態を説明する。
図２は本発明の一実施例としての映像編集装置を搭載したＡＶミキサーの全体構成を概略的に示す図である。図２において、ＣＰＵ１は装置全体の制御を司る中央処理装置、ＲＡＭ２は各種のデータを記憶したり作業用のメモリ領域を提供するランダム・アクセス・メモリ、ＲＯＭ３は制御プログラムや各種のテーブル等を記憶するリード・オンリー・メモリ、表示器４は各種設定データ等を表示するためのＬＣＤ（液晶表示器）、表示ドライバー５は表示器４を駆動制御するためのもの、映像・音声回路６は複数の映像信号と音声信号とをそれぞれミキシング等するためのハードウェア回路、操作子群８はＡＶミキサーの操作パネル上に配置される各種の設定／選択などのための操作子群、インタフェース７はこれら映像・音声回路６や操作子群８とＣＰＵ１等との間の信号の授受をインタフェースする回路、タイトル／静止画ファイル用メモリ９は各種のタイトルや静止画の映像データ（圧縮データ）を予め保持しているメモリであり、例えばＣＤ−ＲＯＭやフロッピィディスクなどで代表されるものである。
【００２１】
図３には操作パネルの外観図が示される。この操作パネル上に各種の操作子群８と表示器４とが配置されている。この操作子群８は、大きく分けて、映像・音声切換え用のスイッチボタン２０、フェードコントロール用のスイッチボタン２１、タイトル／静止画ファイル選択用のスイッチボタン２２、メイン映像／サブ映像を手動で切り換えるための操作子であるフェーダ２３、サブ映像選択用のスイッチボタン２４、その他の各種の操作用のスイッチボタン２５等からなる。
【００２２】
ここで、映像・音声切換え用のスイッチボタン２０は、映像と音声がその各々に対応する操作子の操作に応じて別々に切り換えられるノーマルモードを選択するためのノーマルボタン２０１、シーンチェンジにおける映像の切換わり目に白バック画面や黒バック画面等のカラー画面が挿入されるカラーインサートモードを選択するためのカラーインサートボタン２０２、映像の切換えに連携して音声も映像に一致するように切り換える音声連携モードを選択するための音声連携ボタン２０３からなる。
【００２３】
また、フェードコントロール用のスイッチボタン２１は、白／黒ボタン２１１、ソースモードボタン２１２、トータルモードボタン２１３、実行ボタン２１４からなる。これらのボタンは映像にタイトルを重ね合わせた際のフェードイン／アウトの仕方を選択／実行するためのボタンである。
【００２４】
すなわち、ソースボタン２１２は、ソースフェード・モードを選択するためのボタンであり、このソースフェード・モードでは、映像開始時には、タイトルのみの状態からその背景に映像がフェードインし、映像終了時には、図６（Ａ）に示すように、映像とタイトルが重ね合わされた状態から映像のみがフェードアウトしてタイトルが残る。また、トータルボタン２１３は、トータルフェード・モードを選択するためのボタンであり、このトータルフェード・モードでは、映像開始時には、映像とタイトルが重ね合わせれた映像が共にフェードインし、映像終了時には、図６（Ｂ）に示すように、映像とタイトルが重ね合わせれた状態から映像とタイトルが共にフェードアウトする。
【００２５】
白／黒ボタンはこのソースフェード・モードとトータルフェード・モードにおけるバック画面のカラーを白とするか黒とするかを選択するためのボタンである。
【００２６】
実行ボタン２１４はソースボタン２１２またはトータルボタン２１３により選択されているモードにおいて、フェードイン、フェードアウトの実行を指示するボタンである。この実行ボタン２１４の裏側にはＬＥＤが備えられており、ボタンを透過してその点灯状態が確認できるようになっている。通常、ＬＥＤは消灯しており、この消灯している時に実行ボタン２１４を押すと、フェードアウトを開始してＬＥＤが点灯する（映像終了指示機能）。またＬＥＤが点灯している時に実行ボタン２１４を押すと、フェードインを開始してＬＥＤは消灯する（映像開始指示機能）。
【００２７】
タイトル／静止画ファイル用のスイッチボタン２２は、タイトル／静止画ファイル用メモリ９に格納されているタイトル／静止画を選択するためのボタン群である。
【００２８】
フェーダ２３はメイン映像／サブ映像を手動で切り換える際の操作子であり、操作ノブをメイン映像側に移動させるに伴ってメイン映像が、またサブ映像側に移動させるに伴ってサブ映像がより多く出力されるように、メイン映像とサブ映像のミックス比を操作ノブの位置で設定するものである。
【００２９】
オートテイクボタン２６はメイン映像／サブ映像を自動で切り換える際の操作子であり、オートテイクボタン２６がＯＮされたときにはフェーダ２３で手動操作した設定値は無視される。
【００３０】
サブ映像用のスイッチボタン２４は、サブ映像として、映像・音声回路６に入力されている映像Ｂを選択するための映像Ｂボタン２４１、タイトル／静止画を選択するためのタイトルボタン２４２からなる。
【００３１】
その他のボタン群２５は、カーソル移動用のカーソルボタン２５０、バリュー設定用のバリューボタン２５１、モードを設定モードにするための設定ボタン２５２、メニューモードにするためのメニューボタン２５３、Ｙｅｓ／Ｎｏを選択するためのＹｅｓ／Ｎｏボタン２５４、映像Ｂの取込み（キャプチャ）を指示するするためのキャプチャボタン２５６、文字抽出のモードにするための文字抽出ボタン２５７、色加工のモードにするための色加工ボタン２５８、色抜きのモードをするための色抜きボタン２５９等からなる。
【００３２】
図４には、前述の映像・音声回路６における映像処理に係わる映像回路部分の詳細な構成が示される。図４において、この映像回路にはメイン映像としての映像Ａとサブ映像としての映像Ｂとの映像信号がそれぞれ入力されており、またメモリ３５には、タイトル／静止画ファイル用のスイッチボタン２２によって選択されてタイトル／静止画ファイル用メモリ９から転送されたタイトル／静止画の映像データがサブ映像として格納されるようになっている。そして、映像出力としてはこれらのメイン映像とサブ映像（映像Ｂまたはタイトル／静止画）のミックス映像を出力できるようになっている。
【００３３】
前処理部３１は、入力されたメイン映像Ａの映像信号から同期信号を分離し、分離した同期信号をタイミング発生器３３に、また残りの映像信号をモジュレータ４１の入力端子▲１▼に送出する。
【００３４】
また前処理部３２は前処理部３１と同じ機能を持ち、サブ映像としての入力映像Ｂの映像信号から同期信号を分離するものであり、同期信号分離後の映像信号はＡ／Ｄ変換器３４に入力され、ディジタル化された後にメインコントローラ３６に入力される。
【００３５】
メモリ３５には、上述したように、タイトル／静止画ファイル用メモリ９から読み出されて復号されたタイトル／静止画（以下、説明の便宜上単にタイトル画と略する）の映像データが格納されており、このタイトル画の映像データはメモリコントローラ３６によって読み出されるようになっている。
【００３６】
タイミング発生器３３はメモリ３５に格納されたタイトル画をメイン映像Ａと同期させて読み出せるように、前処理部３１からのメイン映像Ａの同期信号に基づいてメモリ読出しのためのタイミング信号を発生し、それをメモリコントローラ３６に送出する。
【００３７】
メモリコントローラ３６は、サブ映像スイッチボタン２４によってサブ映像としてタイトル画が選択されているときは、タイミング発生器３３からのタイミング信号に基づいてメモリ３５からタイトル画の映像データ（ディジタル値）を読み出してＤ／Ａ変換器３８に出力するともに、キー出力部３９に後述するキーデータを出力する。キー出力部３９はこのキーデータに基づいてキー信号を作成し、乗算器４４に出力する。一方、サブ映像として入力映像Ｂが選択されているときは、入力された映像Ｂの映像データ（ディジタル値）を一時的にメモリに記憶し、タイミング信号に基づいて読み出すことによって映像Ａと同期してＤ／Ａ変換器３８に出力する。
【００３８】
キー出力部３９に入力されたキーデータは、タイトル（文字）の輪郭を抽出するためのものであり、タイトルの輪郭の縁（もしくはタイトルを取り囲んだ枠）に沿って例えばその内側を１、外側を０などとしている。これには例えばファクシミリ等で文字を符号化するランレングス符号などが利用可能である。キー出力部３９はこのキーデータを映像信号に同期したアナログのキー信号に変換して乗算器４４に出力する。つまり、このキー信号は、いわば、文字を撮った映像から文字部分（もしくは文字を取り囲む枠部分）を抜き出した映像信号といえる。
【００３９】
Ｄ／Ａ変換器３８は入力された映像データに基づいてその色情報をアナログの色信号に変換するなどして映像データをアナログ映像信号に変換してモジュレータ４２の入力端子▲１▼に送出する。
【００４０】
モジュレータ４１、４２、４３はそれぞれ同じ構成からなり、それぞれに映像信号が入力される２つの入力端子▲１▼と▲２▼を持ち、制御端子に入力された制御電圧に応じて、入力されている２つの映像信号のミックスと切換えを行う。この実施例では、モジュレータ４１、４２、４３は、制御電圧が０のときに入力端子▲２▼に入力された映像信号を出力し、制御電圧が最大値のときに入力端子▲１▼に入力された映像信号を出力し、その中間では両者をミックスした映像信号を出力する。この際、制御電圧の０と最大値間を漸次に変化させればクロスフェードによる映像切換えとなり、瞬時に変化させれば通常の映像切換えとなる。
【００４１】
バックカラー発生器３７は映像切換えの際などのその切り換わり目に挿入するバックカラーを発生させるためのもので、バックカラーの映像信号はモジュレータ４１、４２の入力端子▲２▼とに入力される。モジュレータ４１の出力信号はモジュレータ４３の入力端子▲１▼に、モジュレータ４２の出力信号はモジュレータ４３の入力端子▲２▼にそれぞれ入力される。モジュレータ４１、４２には多チャネルＤ／Ａ変換器４０から制御電圧が入力され、モジュレータ４３には乗算器４４を介して多チャネルＤ／Ａ変換部から制御電圧が入力される。この乗算器４４の他方の入力端子にはキー出力部３９からキー信号が入力される。多チャネルＤ／Ａ変換器４０にはそれら制御電圧の指示データ（ディジタル値）がインタフェース７を通してＣＰＵ１から与えられる。
【００４２】
モジュレータ４３の出力信号はビデオエンコーダ４５、ビデオバッファ増幅器４６を経て映像出力として出力される。ここで、ビデオエンコーダ４５は前処理部３１で分離した同期信号を出力映像信号に再び付加するものである。
【００４３】
図５には映像・音声回路６における音声処理を行う音声回路部分の詳細な構成が示される。この音声回路は右チャネル用と左チャネル用の２回路からなる。音声回路には、映像Ａ用の音声信号ａ、映像Ｂ用の音声信号ｂ、映像Ａ、Ｂとはかかわりなく外部入力される例えばＢＧＭなどの外部音声信号ＡＵＸがそれぞれ入力されており、これらの音声信号を選択もしくはミックスした信号を音声出力として出力する。
【００４４】
図５において、ＶＣＡ（電圧制御増幅器）５１〜５３はそれぞれに入力された音声信号ａ，ｂ，ＡＵＸを多チャネルＤ／Ａ変換器５６からの制御電圧に応じて音量調整して出力する回路であり、それらの出力信号は加算器５４に入力される。加算器５４はそれらの入力信号をミックスする回路であり、その出力信号はさらにＶＣＡ５５を経て音声出力として出力される。このＶＣＡ５５は多チャネルＤ／Ａ変換器５６からの制御電圧に応じて音声出力の音量レベルを調整する。また、多チャネルＤ／Ａ変換器５６にはインタフェース７を介してＣＰＵ１から各ＶＣＡ５１〜５３、５５に対する制御電圧の指示データ（ディジタル値）が入力される。
【００４５】
以下、この実施例装置の動作を、映像終了時を例にして説明する。まず、図２に示す映像回路の動作概要を説明する。メイン映像Ａは前処理部３１を経てモジュレータ４１に入力され、このモジュレータ４１でバックカラー映像とミックスされて、そのミックス映像はさらにモジュレータ４３に入力さる。
【００４６】
一方、サブ映像については、映像Ｂがサブ映像として選択されているときには、前処理部３２、メモリコントローラ３６、Ｄ／Ａ変換器３８を経てモジュレータ４２に入力され、また、サブ映像としてタイトルが選択されているときにはメモリ３３、メモリコントローラ３６、Ｄ／Ａ変換器３８を経てモジュレータ４２に入力される。モジュレータ４２ではサブ映像とバックカラー映像とがミックスされて、そのミックス映像はさらにモジュレータ４３に入力される。モジュレータ４３は、モジュレータ４１、４２の出力信号を制御電圧に応じてミックスして映像出力信号とする。
【００４７】
モジュレータ４３の制御電圧は乗算器４４を介して入力されるが、キー出力部３９はサブ映像として映像Ｂが選択されているときは全画面に対してオール“１”のキー信号を乗算器４４に出力し、タイトルが選択されているときは、タイトルの文字の輪郭の内側に対してオール“１”、外側に対してオール“０”のキー信号を出力する。この乗算器４４はタイトルが選択されている場合には、タイトルの輪郭の外側部分では常に最大値の電圧を出力するようになっている。
【００４８】
この実施例の映像回路では、ソースフェードを行うときには、モジュレータ４２でタイトル、モジュレータ４３でモジュレータ４２の出力側（タイトル輪郭の内側）を選択した状態で、モジュレータ４１でメイン映像Ａからカラーバック画面映像に逐次に切り換える。また、トータルフェードを行うときには、モジュレータ４１でメイン映像Ａから白バック画面映像に逐次に切り換えると共に、モジュレータ４２でカラーバック画面映像からタイトルに逐次に切り換えつつ、モジュレータ４３をモジュレータ４２の出力側に逐次に切り換える。
【００４９】
以下、この実施例装置による各種の映像切換え動作を説明する。なお、以下の説明では、モジュレータ４１の制御電圧をＣ１、モジュレータ４２の制御電圧をＣ２、モジュレータ４３の制御電圧をＣ３で表すものとする。そして、制御電圧Ｃ３は、サブ映像がタイトルであるときには、乗算器４４においてキー信号が乗算される値である。
【００５０】
〔オートテイク動作〕
まず、ＡＶミキサーでの基本的な動作であるオートテイク動作について図７、図８、図９を参照して説明する。
いま、フェーダ２３がメイン映像Ａ側に倒されており、一方、サブ映像として映像Ｂボタン２４１によって入力映像Ｂが選択されているものとする。図７に示すように、メイン映像Ａは富士山の映像、サブ映像Ｂはヨットの映像とする。また、音声連携ボタン２０３もＯＮされているものとする。この状態で、オートテイクボタン２６をＯＮにすると、メイン映像Ａからサブ映像Ｂにクロスフェードで画面切換えが行われ、これに連携して音声出力も音声ａから音声ｂにクロスフェードする。
【００５１】
図９はオートテイク時における各制御電圧Ｃ１、Ｃ２、Ｃ３の変化状態を示す。図９に示すように、制御電圧Ｃ１とＣ２は共に最大値を継続して出力しており、それによりモジュレータ４１はメイン映像Ａを、またモジュレータ４２はサブ映像Ｂを出力する。そして、所定のオートテイク設定時間をかけて、制御電圧Ｃ３が最大値からゼロに漸減することで、モジュレータ４３の出力映像は、モジュレータ４１のメイン映像Ａから、モジュレータ４２のサブ映像Ｂに切り換わる。
【００５２】
一方、サブ映像としてタイトルボタン２２によってタイトル（この例では「終」）が選択されている場合には、オートテイクボタン２６をＯＮにすると、制御電圧Ｃ３はキー出力部３９からのキー信号に乗算されてからモジュレータ４３に入力される。よって、モジュレータ４３からは、画面中のタイトル（文字）部分ではモジュレータ４２からのタイトル映像が、またタイトル以外の部分ではモジュレータ４１からのメイン映像Ａが映像出力される。これにより、図８に示すように、メイン映像にタイトルが重ね合わされた映像となる。
【００５３】
このときに、外部音声挿入ボタン２０４がＯＦＦであれば、図８▲１▼に示すように、音声出力はメイン映像Ａの音声ａのままであり、一方、外部音声挿入ボタン２０４がＯＮであれば、図８▲２▼に示すように、オートテイクに伴って音声出力は音声ａから外部音声Ｂにクロスフェードする。
【００５４】
〔トータルフェード・モード〕
次に、トータルフェード動作について説明する。
図１０、図１１はトータルフェード・モードを説明するための図であり、図１０はトータルフェードにおける各制御電圧Ｃ１、Ｃ２、Ｃ３の変化状態を示すもの、図１１はトータルフェードにおける映像と音声の切り換わり状態を説明するものである。
【００５５】
上述のように、サブ映像としてタイトルボタン２４２によってタイトルが選択され、オートテイクによりメイン映像Ａとタイトルとが重ね合わされているものとし、トータルボタン２１３によってトータルフェード・モードが設定されているものとする。この状態の場合、図１０に示すように、制御電圧Ｃ１とＣ２は最大値、制御電圧Ｃ３はゼロとなり、これにより、図１１▲１▼に示すように、メイン映像Ａ（富士山の映像）とタイトル（「終」の文字）とが重ね合わさって映し出される。
【００５６】
この状態で、実行ボタン２１４をＯＮにすると、図１０に示すように、所定のフェード設定時間をかけて、制御電圧Ｃ１がゼロに漸減してモジュレータ４１から白バック画面が出力され、制御電圧Ｃ２がゼロに漸減してモジュレータ４２から白バック画面が出力され、また制御電圧Ｃ３は最大値に漸増してモジュレータ４３からモジュレータ４１の白バック画面が出力される。。これにより、図１１▲１▼に示すように、メイン映像Ａ（富士山）とタイトル（終）のミックス映像は、一緒にフェードアウトして白バック画面の画面になる。
【００５７】
この場合において、音声連携ボタン２０３で音声連携モードが設定されていた場合には、図１１▲１▼に示すように、メイン映像Ａの音声ａはミックス映像のフェードアウトに伴って音量レベルがゼロに漸減（フェードアウト）する。
【００５８】
一方、音声連携モードが設定されていない状態で上述のトータルフェードが行われた場合には、図１１▲２▼に示すように、トータルフェード終了時にはまだメイン映像Ａの音声ａが残っているが、その後に音声連携ボタン２０３をＯＮすると、その時点から音声ａの音量レベルがゼロに向かってフェードアウトする。
【００５９】
また、音声連携モードが設定され、かつ音声入力として外部音声ＡＵＸが選択されていた場合には、図１１▲３▼に示すように、トータルフェード前はミックス映像に伴う音声として外部音声ＡＵＸが音声出力され、トータルフェードの実行が指示されると、この外部音声ＡＵＸはミックス映像のフェードアウトに伴って音量レベルがゼロにフェードアウトする。
【００６０】
この場合において、トータルフェード前の音声連携モードがＯＦＦであって、トータルフェード後にＯＮに設定されたものである場合には、図１１▲４▼に示すように、音声連携ボタン２０３がＯＮされるまでトータルフェード後の白バック画面に対して外部音声ＡＵＸが音声出力されており、ＯＮされた時点から外部音声ＡＵＸの音量レベルがゼロにフェードアウトする。
【００６１】
〔ソースフェード・モード〕
次に、ソースフェード動作について説明する。図１２、図１３はソースフェード・モードを説明するための図であり、図１２はソースフェードにおける各制御電圧Ｃ１、Ｃ２、Ｃ３の変化状態を示すもの、図１３はソースフェードにおける映像と音声の切り換わり状態を説明するものである。
【００６２】
サブ映像としてタイトルボタン２４２によってタイトルが選択され、ソースボタン２１２によってソースフェード・モードが設定されると、図１２に示すように、制御電圧Ｃ１とＣ２は最大値、制御電圧Ｃ３はゼロとなり、これにより、図１３▲１▼に示すように、メイン映像Ａ（富士山）とタイトル（終）とが重ね合わさって映し出される。
【００６３】
この状態で、実行ボタン２１４をＯＮにすると、図１２に示すように、制御電圧Ｃ１は所定のフェード設定時間を経てゼロに漸減することでモジュレータ４１から白バック画面が出力され、制御電圧Ｃ２は最大値を維持することでモジュレータ４２からはタイトルが出力され、制御電圧Ｃ３はゼロを維持することでモジュレータ４３はモジュレータ４２からのタイトルを出力する。これにより、図１３▲１▼に示すように、メイン映像Ａ（富士山）とタイトル（終）のミックス映像は、メイン画像が次第にフェードアウトして白バック画面となり、タイトルだけが残る。
【００６４】
この状態において、さらにタイトルをフェードアウトするには、オートテイクボタン２６をＯＮにする。これにより、図１２に示すように、所定のオートテイク設定時間をかけて、制御電圧Ｃ３がゼロから最大電圧に漸増し、それによりモジュレータ４３からはモジュレータ４１の白バック画面が出力されるので、図１３▲１▼に示すようにタイトルはフェードアウトして白バック画面に変わる。
【００６５】
このソースフェードの処理において、音声連携ボタン２０３で音声連携モードが既に設定されていた場合には、図１３▲１▼に示すように、ソースフェードによりタイトルだけが残っているときにはメイン映像Ａの音声ａが音声出力されており、オートテイクボタン２６がＯＮにされたときから、この音声ａが漸減して消音される。
【００６６】
一方、図１３▲２▼に示すように、音声連携モードが設定されていない状態で上述のトータルフェードが行われた場合には、オートテイクボタン２６によりタイトルが白バック画面に切り換えられても、依然として音声ａが音声出力される。そして、音声連携ボタン２０３により音声連携ＯＮとしたとときから、この音声ａが漸減して消音される。
【００６７】
また、音声連携モードが設定され、かつ音声入力として外部音声ＡＵＸが選択されていた場合には、図１３▲３▼に示すように、ソースフェード前はミックス映像に伴う音声として外部音声ＡＵＸが音声出力され、ソースフェードの実行が指示されても、この外部音声ＡＵＸが音声出力され続け、オートテイクボタン２６がＯＮされてタイトルが白バック画面に漸次に切り換えれたときに、それに伴って外部音声ＡＵＸも漸次に消音される。
【００６８】
また、図１３▲４▼に示されるように、トータルフェード前において音声連携モードがＯＦＦ、外部音声ＡＵＸがＯＮである場合には、ソースルフェードの実行指示に伴って、音声はメイン映像Ａの音声から外部音声ＡＵＸにクロスフェードで切り換えられる。この状態はオートテイクボタン２６でタイトルを白バック画面に切り換えても変わらない。そして、音声連携ボタン２０３をＯＮにすると、この外部音声ＡＵＸは漸次に消音される。
【００６９】
〔カラーインサート〕
次に、実施例装置におけるカラーインサート動作について説明する。このカラーインサート動作はシーンチェンジの際に画面の切り換わり目でバックカラー画面（例えば白バック画面や黒バック画面）を挿入することで、例えば切換え前の映像と切換え後の映像における時間の経過を表現するなどのような目的に用いられる。ここではサブ映像として入力映像Ｂを選択しているものとして説明を行う。
【００７０】
図１４、図１５はカラーインサート（Ｉ）の動作を説明するための図であり、図１４はカラーインサート時における各制御電圧Ｃ１、Ｃ２、Ｃ３の変化状態を示すもの、図１５はカラーインサート時における映像と音声の切り換わり状態を説明するものである。
【００７１】
サブ映像として映像Ｂボタン２４１によって入力映像Ｂ（ヨットの映像）が選択されており、図１５に示すように、現在はメイン映像Ａ（富士山の映像）が映像出力されているものとする。この状態でカラーインサートボタン２０２がＯＮにされると、カラーインサート・モードが設定される。
【００７２】
この状態でオートテイクボタン２６をＯＮにすると、図１４に示すように、制御電圧Ｃ１が漸減することで、モジュレータ４１からは映像Ａに逐次に白バック画面がミックスされる映像が出力され、その後に所定のカラー場面設定時間にわたり白バック画面のみが出力される。このカラー場面設定時間を経たら、今度は制御電圧Ｃ２が漸増して最大値となることで、モジュレータ４２からは白バック画面に逐次にサブ映像Ｂ（ヨット）がミックスされる映像が出力される。
【００７３】
一方、制御電圧Ｃ３は当初最大値であったものが、上記のカラー場面設定時間をかけてゼロに漸減することで、カラー場面設定時間の終了時点でモジュレータ４３からはモジュレータ４２の映像Ｂが出力される。つまり、モジュレータ４３からの映像出力は、初めはメイン映像Ａ（富士山）であったものが次第に白バック画面にフェードアウトして、いったん白バック画面となり、次いでその白バック画面にサブ映像Ｂ（ヨット）が次第にフェードインしていくものとなる。
【００７４】
このカラーインサート動作時における音声出力は、図１５に示すように、カラーインサートで映像が切り換えられている際に、メイン映像Ａの音声ａが漸減してゼロになると同時に、サブ映像Ｂの音声ｂがゼロから漸増するようにしたり（１／２切換え）、あるいは音声ａと音声ｂの切り換わり目において、カラー場面設定時間にわたって無音としたり（空白インサート）することが可能である。
【００７５】
図１６、図１７は上記したカラーインサート動作の他の実施例を説明するための図である。この実施例は上述のカラーインサート動作におけるカラー場面設定時間を無くしたものである。図１６はこの他の実施例における各制御電圧Ｃ１、Ｃ２、Ｃ３の変化状態を示すもの、図１５はこの他の実施例における映像の切り換わり状態を説明するものである。
【００７６】
前述の実施例同様、当初は制御電圧Ｃ１とＣ３が最大値であることによって、モジュレータ４３からはメイン映像Ａが出力されているものとする。また、カラーインサートボタン２０２がＯＮされているものとする。
【００７７】
この状態でオートテイクボタン２６をＯＮにすると、図１６に示すように、制御電圧Ｃ１が漸減することで、モジュレータ４１からは映像Ａに逐次に白バック画面がミックスされる映像が出力され、やがて白バック画面のみが出力される。これと同時に、今度は制御電圧Ｃ２が漸増して最大値となることで、モジュレータ４２からは白バック画面に逐次にサブ映像Ｂがミックスされる映像が出力される。
【００７８】
一方、制御電圧Ｃ３は制御電圧Ｃ１とＣ２が同時にゼロとなっている時（オートテイク設定時間の半分時点）に瞬間的に最大値からゼロに切り換わる。これにより、図１７に示すように、モジュレータ４３からの最終的な映像出力は、初めはメイン映像Ａ（富士山）であったものが次第に白バック画面にフェードアウトして白バック画面になり、白バック画面になったら直ちに、その白バック画面画面にサブ映像Ｂ（ヨット）が次第にフェードインしていくものとなる。
【００７９】
図１８、図１９は上記したカラーインサート動作のまた他の実施例を説明するための図である。この実施例は上述のカラーインサート動作における映像の切換え時にメイン映像Ａとサブ映像ｂとがクロスフェードするようにしたものである。図１８はこの他の実施例における各制御電圧Ｃ１、Ｃ２、Ｃ３の変化状態を示すもの、図１９はこの他の実施例における映像の切り換わり状態を説明するものである。
【００８０】
前述の実施例同様、当初は制御電圧Ｃ１とＣ３が最大値であることによって、モジュレータ４３からはメイン映像Ａが出力されているものとする。また、カラーインサートボタン２０２がＯＮされているものとする。
【００８１】
この状態でオートテイクボタン２６をＯＮにすると、図１６に示すように、制御電圧Ｃ１が漸減することで、モジュレータ４１からは映像Ａに逐次に白バック画面がミックスされる映像が出力され、やがて白バック画面のみが出力されるが、この制御電圧Ｃ１が完全にゼロになる前に、今度は制御電圧Ｃ２が漸増して最大値となることで、モジュレータ４２からは白バック画面に逐次にサブ映像Ｂがミックスされる映像が出力される。
【００８２】
一方、制御電圧Ｃ３は制御電圧Ｃ１とＣ２がオーバラップしている時（カラーオーバラップ設定時間）に最大値からゼロに次第に切り換わる。これにより、図１９に示すように、モジュレータ４３からの最終的な映像出力は、初めはメイン映像Ａであったものが次第に白バック画面にフェードアウトしつつ、サブ映像Ｂとクロスフェードし、その後に次第にサブ映像Ｂがフェードインしていくものとなる。
【００８３】
次に、カラーインサートを行いつつオートテイク動作をする実施例について図２０、図２１、図２２を参照して説明する。図２０はこの実施例における各制御電圧Ｃ１、Ｃ２、Ｃ３の変化状態を示すもの、図２２はこの実施例における映像の切り換わり状態を説明するものである。
【００８４】
この場合、制御電圧Ｃ１は最大値で、モジュレータ４１は常にメイン映像Ａを出力している。制御電圧Ｃ２はゼロで、モジュレータ４２は当初は白バック画面を出力しているが、オートテイク設定時間の半分時点から最大値に向けて漸増することで、モジュレータ４２はタイトルを出力する。制御電圧Ｃ３はオートテイクのＯＮとともに、最大値から漸減し、オートテイク設定時間の半分時点でゼロになる。これにより、画面上では、図２２に示すように、当初はメイン映像Ａ（富士山）が映し出され、ついでオートテイク設定時間の半分頃までに富士山の映像上においてタイトル（「終」）の切り抜き部分（白バック）が生じ、ついでその切り抜き部分にタイトルがフェードインしていくことになる。
【００８５】
この図２０の実施例はタイトルが挿入される変わり目がはっきりしている方法であるが、この変わり目を淡いものにしたい場合には、図２１に示されるように、制御電圧Ｃ３をオートテイク設定時間全てをかけて変化させるようにすればよい。
【００８６】
以上の説明では、主に映像を終了させるときのＡＶミキサーの動作を説明したが、本発明はこれに限られるものではなく、映像を開始するときにも、ソースフェード、トータルフェードを操作子の簡単な操作で実現することができる。すなわち、上述の実施例装置では、実行ボタン２１４を押すと、フェードアウトが開始され、フェードアウトが完了すると、この実行ボタン２１４のＬＥＤが点灯する。このときに再度、実行ボタン２１４を押すと、フェードインとなり、フェードインが完了すると、ＬＥＤは消灯する。
【００８７】
このことにより、映像開始時には、ソースフェードを選択した状態で実行ボタン２１４を押せば、タイトルのみの表示から映像Ａをフェードインすることができ、また、トータルフェードを選択した状態で実行ボタン２１４を押せば、タイトルと映像Ａの重ね合わせ映像をフェードインすることができる。
【００８８】
例えば、ソースフェードの場合には、映像の開示時にまずタイトルのみを表示し、次に映像をフェードインし、次にタイトルをフェードアウトするには、ソースフェードを選択し、フェーダ２３をサブ映像側に倒す。これにより、まずタイトルと映像Ａが表示されることを確認する。次いで、実行ボタン２１４を押す。すると、映像Ａがフェードアウトし、タイトルだけが表示される。ここから、録画用のビデオの録画を開始する。次に、実行ボタン２１４を押すと、映像Ａがフェードインし、次にオートテークボタン２６を押すと、フェーダ２３がメイン映像Ａ側に移動し、タイトルがフェードアウトする。
【００８９】
また例えば、トータルフェードの場合には、映像の開示時にタイトルと映像を同時にフェードインするには、トータルフェードを選択し、フェーダ２３をサブ映像側に倒す。これにより、まずタイトルと映像Ａが表示されることを確認する。次いで、実行ボタン２１４を押す。すると、映像Ａとタイトルがフェードアウトする。ここから、録画用のビデオの録画を開始する。次に、実行ボタン２１４を押すと、映像Ａとタイトルが同時にフェードインする。次にオートテークボタン２６を押すと、フェーダ２３がメイン映像Ａ側に移動し、タイトルがフェードアウトする。
【００９０】
【発明の効果】
以上に説明したように、本発明によれば、映像の編集にあたって、タイトルを残したままソース映像をフェードイン／アウトしたり、タイトルを含めてソース映像をフェードイン／アウトしたりなどする効果的な演出を、少ない操作子を用いて簡単な操作で行える。
【図面の簡単な説明】
【図１】本発明に係る映像編集装置を実現する例を示す図である。
【図２】本発明の一実施例としての映像編集装置を搭載したＡＶミキサーの全体構成を概略的に示す図である。
【図３】実施例装置における操作パネルの外観図である。
【図４】実施例装置の映像・音声回路における映像処理にかかわる映像回路部分の詳細な構成を示す図である。
【図５】実施例装置の映像・音声回路における音声処理にかかわる音声回路部分の詳細な構成を示す図である。
【図６】実施例装置におけるソースフェードとトータルフェードを説明するための図である。
【図７】実施例装置におけるオートテイク動作（入力映像Ｂ選択時）を説明するための図である。
【図８】実施例装置におけるオートテイク動作（タイトル選択時）を説明するための図である。
【図９】実施例装置におけるオートテイク動作時のモジュレータ制御電圧の変化を示す図である。
【図１０】実施例装置におけるトータルフェード動作時のモジュレータ制御電圧の変化を示す図である。
【図１１】実施例装置におけるトータフェード動作時の音声・映像の制御状態を示す図である。
【図１２】実施例装置におけるソースフェード動作時のモジュレータ制御電圧の変化を示す図である。
【図１３】実施例装置におけるソースフェード動作時の音声・映像の制御状態を示す図である。
【図１４】実施例装置におけるカラーインサート（Ｉ）動作時のモジュレータ制御電圧の変化を示す図である。
【図１５】実施例装置におけるカラーインサート（Ｉ）動作時の音声・映像の制御状態を示す図である。
【図１６】実施例装置におけるカラーインサート（II）動作時のモジュレータ制御電圧の変化を示す図である。
【図１７】実施例装置におけるカラーインサート（II）動作時の音声・映像の制御状態を示す図である。
【図１８】実施例装置におけるカラーインサート（III ）動作時のモジュレータ制御電圧の変化を示す図である。
【図１９】実施例装置におけるカラーインサート（III ）動作時の音声・映像の制御状態を示す図である。
【図２０】実施例装置におけるオートテイク＋カラーインサート動作時のモジュレータ制御電圧の変化を示す図である。
【図２１】実施例装置におけるオートテイク＋カラーインサート動作時のモジュレータ制御電圧の変化を示す図である。
【図２２】実施例装置におけるオートテイク＋カラーインサート動作時の映像の制御状態を示す図である。
【図２３】従来においてソースフェードとトータルフェードを行うときのタイトラーとミキサーの接続関係を示す図である。
【図２４】ソースフェードとトータルフェードを行うための従来装置の操作パネルを示す図である。
【符号の説明】
１  ＣＰＵ（中央処理装置）
２  ＲＡＭ（ランダム・アクセス・メモリ）
３  ＲＯＭ（リード・オンリー・メモリ）
４  表示器
５  表示ドライバ
６  映像・音声回路
７  インタフェース
８  操作子群
９  タイトル／静止画ファイル用メモリ
２０  映像・音声切換え用のスイッチボタン
２１  フェードコントロール用のスイッチボタン
２２  タイトル／静止画ファイル用のスイッチボタン
２３  フェーダ
２４  サブ映像用のスイッチボタン
２５  その他のスイッチボタン
３１、３２  前処理部
３３  タイミング発生器
３４  Ａ／Ｄ変換器
３５  メモリ
３６メモリコントローラ
３７  バックカラー発生器
３８  Ｄ／Ａ変換器
３９  キー出力部
４０、５６  多チャネルＤ／Ａ変換器
４１〜４３  モジュレータ
４４  乗算器
４５  ビデオエンコーダ
４６  ビデオバッファ増幅器
５１〜５３、５５  ＶＣＡ（電圧制御増幅器）
５４  加算器
【図１】
0004212688.tif 000002
【図２】
0004212688.tif 000003
【図３】
0004212688.tif 000004
【図４】
0004212688.tif 000005
【図５】
0004212688.tif 000006
【図６】
0004212688.tif 000007
【図７】
0004212688.tif 000008
【図８】
0004212688.tif 000009
【図９】
0004212688.tif 000010
【図１０】
0004212688.tif 000011
【図１１】
0004212688.tif 000012
【図１２】
0004212688.tif 000013
【図１３】
0004212688.tif 000014
【図１４】
0004212688.tif 000015
【図１５】
0004212688.tif 000016
【図１６】
0004212688.tif 000017
【図１７】
0004212688.tif 000018
【図１８】
0004212688.tif 000019
【図１９】
0004212688.tif 000020
【図２０】
0004212688.tif 000021
【図２１】
0004212688.tif 000022
【図２２】
0004212688.tif 000023
【図２３】
0004212688.tif 000024
【図２４】
0004212688.tif 000025